【事件の表示】
　特許第２９３３８３７号「薬剤包装装置」の特許に対する特許異議の申立てについて、次のとおり決定する。
【結　論】
　特許第２９３３８３７号の請求項１、２、８、１１に係る特許を維持する。
【理　由】
１．本件特許発明
　本件特許第２９３３８３７号（平成６年１０月２１日出願、平成１１年５月２８日設定登録。）の請求項１、２、８及び１１に係る特許発明（以下、各々「特許発明１」、「特許発明２」、「特許発明８」及び「特許発明１１」という。）は、特許明細書及び図面の記載からみて、その特許請求の範囲の請求項１、２、８及び１１に記載された事項により特定される次のとおりのものである。
　「【請求項１】処方に応じた薬剤を選択的に供給して包装する薬剤包装装置において、該薬剤包装装置とは離れた場所に設置され、薬剤が収容された多数の薬剤容器を収納する薬剤収納棚と、前記薬剤容器が装着されて処方に応じた量だけ薬剤を供給する比較的少数の薬剤供給手段と、該薬剤供給手段から供給される薬剤を１分包づつ包装する包装手段と、前記薬剤容器に設けられた識別手段と、前記薬剤供給手段に装着された薬剤容器の識別手段より薬剤データを読み取る読取手段と、該読取手段により読み取った薬剤データに基づいて薬剤の装着場所を記憶する装着場所記憶手段と、該装着場所記憶手段に記憶された各薬剤の装着場所データに基づいて処方に対応する薬剤容器が装着された薬剤供給手段を探査する装着場所探査手段とを備えたことを特徴とする薬剤包装装置。
　【請求項２】処方に応じた薬剤を選択的に供給して包装する薬剤包装装置において、該薬剤包装装置とは離れた場所に設置され、薬剤が収容された多数の薬剤容器を収納する薬剤収納棚と、前記薬剤容器が装着されて処方に応じた量だけ薬剤を供給する比較的少数の薬剤供給手段と、該薬剤供給手段により供給される薬剤を環状に均一に分配した後に１分包づつ分割して排出する薬剤分配手段と、該薬剤分配手段より排出される薬剤を１分包づつ包装する包装手段と、前記薬剤容器に設けられた識別手段と、前記薬剤供給手段に装着された薬剤容器の識別手段より薬剤データを読み取る読取手段と、該読取手段により読み取った薬剤データに基づいて薬剤の装着場所を記憶する装着場所記憶手段と、該装着場所記憶手段に記憶された各薬剤の装着場所データに基づいて処方に対応する薬剤容器が装着された薬剤供給手段を探査する装着場所探査手段とを備えたことを特徴とする薬剤包装装置。
　【請求項８】処方に応じた薬剤を選択的に供給して包装する薬剤包装装置において、該薬剤包装装置とは離れた場所に設置され、薬剤が収容された多数の薬剤容器を収納する薬剤収納棚と、処方に従って調剤された薬剤を受け入れる複数のホッパと、該ホッパより供給される薬剤を環状に均一に分配した後に１分包づつ分割して排出する薬剤分配手段と、該薬剤分配手段より排出される薬剤を１分包づつ包装する包装手段と、前記薬剤容器に設けられた識別手段と、該識別手段より薬剤容器の薬剤データを読み取る読取手段と、該読取手段より読み取った薬剤データを処方データと比較することにより検薬する検薬手段とを備えたことを特徴とする薬剤包装装置。
　【請求項１１】処方に応じた薬剤を選択的に供給して包装する薬剤包装装置において、該薬剤包装装置とは離れた場所に設置され、薬剤が収容された多数の薬剤容器を収納する薬剤収納棚と、前記薬剤容器が装着されて処方に応じた量だけ薬剤を払い出す比較的少数の薬剤払出し手段と、前記薬剤容器に設けられた識別手段と、前記薬剤払出し手段に装着された薬剤容器の識別手段より薬剤データを読み取る読取手段と、該読取手段により読み取った薬剤データに基づいて薬剤の装着場所を記憶する装着場所記憶手段と、該装着場所記憶手段に記憶された各薬剤の装着場所データに基づいて処方に対応する薬剤容器が装着された薬剤供給手段を探査する装着場所探査手段とを備えたことを特徴とする薬剤払出し装置。」
２．申立ての理由の概要
　申立人村田元は、本件特許の請求項１、２、８及び１１に係る発明は、甲第１号証〜甲第４号証の刊行物に記載された発明に基づいて当業者が容易に発明をすることができたものであるから、特許法第２９条第２項の規定により特許を受けることができないものであり、本件の請求項１、２、８及び１１に係る発明の特許は、特許法第１１４条第２項の規定により、取り消されるべきものである旨主張している。
　〈証拠方法〉
　甲第１号証；特開昭６３−５５００１号公報
　甲第２号証；特開平２−３２９０２号公報
　甲第３号証；特開昭６０−１７６６５５号公報
　甲第４号証；特開平５−１７０２０３号公報
３．甲第１号証〜甲第４号証の記載事項
　甲第１号証（特開昭６３−５５００１号公報）には、散剤分包機の作動装置に関して、下記の事項が図面とともに記載されている。
　「所定量の散剤を所定包数に分割して包装する装置を具えた散剤分包機において、計量した散剤を一旦収容する容器に識別情報を設け、前記容器の識別情報と当該容器に収容された散剤の調剤情報とを対応して記憶する手段と、前記容器の識別情報を読取って当該容器に収容された散剤の調剤情報を前記記憶手段から呼出す手段と、前記呼出手段によって呼出された調剤情報にしたがって前記分割包装装置を作動させる制御手段とを設けたことを特徴とする作動装置。」（特許請求の範囲）
　「第１図はこの発明の一実施例を示し、１は所定量の散剤を所定包数に分割して包装する分割包装装置２を具えた散剤分包機、３は多数の装置びん４、４…が置かれた棚５、５…の手前において所定高さの台６上に秤７が設置された調剤台である。調剤台３には、秤７で計量された散剤を一旦収容する容器８が複数個用意されていて、各容器８にはバーコードからなる容器の識別情報９が設けられている。調剤台３にはまた、図示しない適宜の入力端末装置から転送される調剤すべき散剤の商品名および、果粒、細果粒、粉末等による流動性状、指定量、分割包数等からなる調剤情報を表示する適宜の表示部材１０と、バーコードリーダ１１とが設けられている。散剤分包機１には、調剤台３のバーコードリーダ１１によって読取られた容器８の識別情報９とこの容器８に収容された散剤の表示部材１０に表示された調剤情報とが転送されて両者を対応して記憶するメモリ１２と、調剤台３での調剤作業終了後散剤分包機１に運ばれた容器８の識別情報９を読取ってこの容器８に収容された散剤の調剤情報をメモリ１２から呼出す呼出部材１３と、呼出部材１３によって呼出された調剤情報にしたがって分割包装装置２を作動させる制御部材１４とが設けられている。」（第２頁右上欄１５行〜左下欄１８行）
　「作業者は表示部材１０に表示された薬品の装置びん４を棚５から取って指定された量だけ秤７で計量する。このとき計量値は秤７に表示されるとともに表示部材１０にも表示されるから、表示部材１０によって指定量と計量値との差を目で確かめながら計量することができる。このようにして計量が終了したら、その散剤をいずれか１個の容器８に入れたうえこの容器８の識別情報９をバーコードリーダ１１によって読取らせる。このようにしてバーコードリーダ１１によって読取られた容器８の識別情報９と、この容器８に収容された散剤の表示部材１０に表示された調剤情報とは、散剤分包機１に転送されて互いに対応してメモリ１２に記憶されるから、前記の容器８が散剤分包機１に運ばれたうえ、この容器８の識別情報９を呼出部材１３によって読取らせると、呼出部材１３はこの識別情報９に対応した散剤の調剤情報をメモリ１２から呼出し、制御部材１４はこの呼出された調剤情報にしたがって分割包装装置２を作動させる。そのため容器８に収容された散剤を分割包装装置２の図示しない電磁フィーダのホッパに投入すれば、その散剤は調剤情報に示された流動性状および計量された量に応じた最適の振動数で作動する電磁フィーダから適宜の配分分割機構に配分されたのち、調剤情報に示された分割包数にしたがって分割されて包装されることとなる。」（第２頁右下欄３行〜第３頁左上欄９行）
　甲第２号証（特開平２−３２９０２号公報）には、薬剤の種類に応じて複数の薬剤収容器を配置して成る薬剤包装機に関して、下記の事項が図面とともに記載されている。
　「薬剤の種類に応じて複数の薬剤収容器を着脱自在に配置して成る薬剤包装機において、この薬剤の種類に応じて設けられ対応する薬剤情報が記録されているカードを備え、前記薬剤収容器のそれぞれには、前記カードの記録情報を読取るカードリーダーと、薬剤包装機本体から与えられる包装する薬剤を選択するための薬剤選択情報と前記カードの記録情報との一致を判別する判別装置と、該判別装置にて一致が判別されると薬剤の包装部への摘出動作を行なう駆動装置とを設けたことを特徴とする薬剤包装機。」（特許請求の範囲）
　「上記構成による動作を第３図のフローチャートにて説明する。先ずステップＳ１で入力装置（１）に薬剤種，薬剤量，包装数の処方情報が入力されると、ＣＰＵ（２０）は処方情報を表示装置（３）に表示するとともにメモリ（２８）にストアする。そしてＣＰＵ（２０）は次のステップＳ２において、入力装置（１）の所定のファンクションキーが操作されて包装開始のコマンドが与えられたことを判別すると、ステップＳ３に進み薬剤選択情報をデータパス（２３）に出力する。各薬剤収容器（２）…（２）は薬剤選択情報が与えられると、判別装置（２２）にてこの薬剤選択情報とカード（２９）に記録されている薬剤情報との一致を判別し、一致している場合に、その薬剤収容器（２）は駆動装置（２５）を動作させて薬剤の摘出動作を行なう。」（第３頁左上欄９行〜右上欄３行）
　甲第３号証（特開昭６０−１７６６５５号公報）には、分割マスを用いることなく連続して所定量づつ小分けして散剤を分包する主として薬剤の分包方法とその装置に関して、下記の事項が図面とともに記載されている。
　「底部が開閉可能な環状Ｖ溝を備えた回転分配テーブルの該環状Ｖ溝部に１または複数の散剤供給器によって所要量の散剤を均等に供給し、しかる後この分配テーブル環状Ｖ溝下部を開いて、その下側に配した間欠的に一定回転角変位する散剤テーブル上に散剤が前記分配テーブルから放出されたまま盛り上るように落下載置し、該散剤テーブルの回動停止時テーブル外側部から機体中央部のホッパーに向けて、所要幅に制限して前記散剤をカットすると同時に掬い込む掬い器でテーブル上からホッパー上部に移行させて、受入れた散剤をホッパーを介してその下部に送り込まれた連続分包袋に一包づつ注入し、散剤をカットして供給した後原位置に掬い器を復帰させた状態で散剤テーブルを回動させると、該掬い器付設の仕切り側片にてテーブル上の残余散剤が受け止められて次の分割に対応することを特徴とする散剤の分包方法。」（特許請求の範囲）
　甲第４号証（特開平５−１７０２０３号公報）には、複数種類の散薬のなかから任意の種類の散薬を、所定の供給口から供給するようになった散薬供給装置に関して、下記の事項が図面とともに記載されている。
　「各種類の散薬を収容した複数の散薬収容器と、制御装置と、供給口とを具え、前記散薬収容器または前記制御装置を移動させて、前記散薬収容器の任意のものと前記制御装置とを選択的に対応させ、前記制御装置と対応した散薬収容器の散薬を必要量だけ前記供給口に供給するように構成したことを特徴とする散薬供給装置。」（特許請求の範囲）
　「一例を挙げると、散薬収容器１、１、…を円形に配置し、これらを、適宜の移動機構２６によって、その円の中心（移動機構２６に連なる一点鎖線で示す）のまわりに回転移動させるように構成し、その回転軌跡の一箇所に対応した位置に、制御装置２を設置することができる。また、このような円形配置の散薬収容器１、１、…を、上下に複層構造とすることもでき、その場合、各層の散薬収容器１、１、…ごとに制御装置２をそれぞれ設置してもよいが、単一の制御装置２を使用する場合は、その制御装置２を、各層の散薬収容器１、１、…の高さに選択的に対応できるように、上下に移動可能に構成するか、または、複層構造の散薬収容器１、１、…を、一体的に上下移動（および回転移動）可能に構成することによって、単一の制御装置２に対して、複層構造の任意の散薬収容器１を対応させることができる。」（第２頁２（右）欄２９行〜４３行）
４．対比・判断
　【特許発明１について】
　甲第１号証〜甲第４号証に記載された上記技術事項からみて、
　甲第１号証には、作業者が表示部材１０に表示された薬品の装置びん４（薬剤容器に相当）を棚５から取って指定された量だけ秤７で計量し、計量が終了した散剤を一旦収容する容器８に識別情報９を設け、該容器８を散剤分包機１に運んでホッパーに投入する際に、呼出部材１３で容器８の識別情報９を読取って予めメモリ１２に記憶しておいた識別情報９に対応した調剤情報を呼出し、この調剤情報にしたがって分割包装装置２を作動させることが、
　甲第２号証には、薬剤包装機に着脱自在に配置した複数の薬剤収容器の各々にカードの記録情報を読取るカードリーダーと、薬剤選択情報とカードの記録情報との一致を判別する判別装置と、判別装置にて一致が判別されると薬剤の包装部への摘出動作を行なう駆動装置とを設けたことが、
　甲第３号証には、ホッパより供給される薬剤を環状に均一に分配した後、１分包づつ分割して排出するようにした散剤の分包方法とその装置が、
　甲第４号証には、複数の散薬収容器と制御装置を設けた散薬供給装置が、
記載されているにすぎないものであって、本件特許発明１のように、薬剤容器に識別手段を設け、薬剤容器が装着されて処方に応じた量だけ薬剤を供給する比較的少数の薬剤供給手段に装着された薬剤容器の識別手段により薬剤データを読み取る読取手段と、該読取手段により読み取った薬剤データに基づいて薬剤の装着場所を記憶する装着場所記憶手段と、該装着場所記憶手段に記憶された各薬剤の装着場所データに基づいて処方に対応する薬剤容器が装着された薬剤供給手段を探査する装着場所探査手段とを備えることについては、記載されておらず、示唆する記載も認めることができないものであるから、甲第１号証〜甲第４号証に記載された技術事項を総合したとしても、本件特許発明１を容易に想到できるものとは認めることができない。
　そして、本件特許発明１は、上記各手段を備えることによって、薬剤供給手段には比較的少数の薬剤容器しか装着されておらず、残りの大部分の薬剤容器は集中して薬剤収納棚に収納されるため、装置を小型化でき、また、処方に応じた薬剤容器を取り出して空いた任意の薬剤供給手段に装着するか、あるいは既に装着されている薬剤容器と入れ換えて装着するだけでよいので、取り扱いに便利な薬剤包装装置とすることができるという格別な効果を奏するものと認める。
　したがって、本件特許発明１は、甲第１号証〜甲第４号証に記載された発明に基づいて当業者が容易に発明をすることができたものとは認めることができない。
　【特許発明２について】
　甲第１号証〜甲第４号証には、上記した技術事項が記載されているにすぎないものであって、本件特許発明２のように、薬剤容器に識別手段を設け、薬剤容器が装着されて処方に応じた量だけ薬剤を供給する比較的少数の薬剤供給手段に装着された薬剤容器の識別手段により薬剤データを読み取る読取手段と、該読取手段により読み取った薬剤データに基づいて薬剤の装着場所を記憶する装着場所記憶手段と、該装着場所記憶手段に記憶された各薬剤の装着場所データに基づいて処方に対応する薬剤容器が装着された薬剤供給手段を探査する装着場所探査手段とを備えることについては、記載されておらず、示唆する記載も認めることができないものであるから、甲第１号証〜甲第４号証に記載された技術事項を総合したとしても、本件特許発明２を容易に想到できるものとは認めることができない。
　そして、本件特許発明２は、上記各手段を備えることによって特許発明１と同様の格別な作用効果を奏するものと認める。
　したがって、本件特許発明２は、甲第１号証〜甲第４号証に記載された発明に基づいて当業者が容易に発明をすることができたものとは認めることができない。
　【特許発明８について】
　甲第１号証〜甲第４号証には、上記した技術事項が記載されているにすぎないものであって、本件特許発明８のように、薬剤包装装置とは離れた場所に設置された薬剤収納棚に収納する薬剤容器に識別手段を設け、該識別手段より薬剤容器の薬剤データを読み取る読取手段と、該読取手段より読み取った薬剤データを処方データと比較することにより検薬する検薬手段とを備えることについては、記載されておらず、示唆する記載も認めることができないものであるから、甲第１号証〜甲第４号証に記載された技術事項を総合したとしても、本件特許発明８を容易に想到できるものとは認めることができない。
　そして、本件特許発明８は、上記各手段を備えることによって、薬剤収納棚より取り出した薬剤容器が検薬されるので、誤って処方と異なる薬剤容器を取り出す恐れはなく、安全であるという格別な作用効果を奏するものと認める。
　したがって、本件特許発明８は、甲第１号証〜甲第４号証に記載された発明に基づいて当業者が容易に発明をすることができたものとは認めることができない。
　【特許発明１１について】
　甲第１号証〜甲第４号証には、上記した技術事項が記載されているにすぎないものであって、本件特許発明１１のように、薬剤容器に識別手段を設け、薬剤容器が装着されて処方に応じた量だけ薬剤を払い出す比較的少数の薬剤供給手段に装着された薬剤容器の識別手段により薬剤データを読み取る読取手段と、該読取手段により読み取った薬剤データに基づいて薬剤の装着場所を記憶する装着場所記憶手段と、該装着場所記憶手段に記憶された各薬剤の装着場所データに基づいて処方に対応する薬剤容器が装着された薬剤供給手段を探査する装着場所探査手段とを備えることについては、記載されておらず、示唆する記載も認めることができないものであるから、甲第１号証〜甲第４号証に記載された技術事項を総合したとしても、本件特許発明１１を容易に想到できるものとは認めることができない。
　そして、本件特許発明１１は、上記各手段を備えることによって特許発明１と同様の格別な作用効果を奏するものと認める。
　したがって、本件特許発明１１は、甲第１号証〜甲第４号証に記載された発明に基づいて当業者が容易に発明をすることができたものとは認めることができない。
５．むすび
　以上のとおりであるから、特許異議申立ての理由及び証拠によっては本件特許発明１，２，８及び１１についての特許を取り消すことはできない。
　また、他に本件特許発明１，２，８及び１１についての特許を取り消すべき理由を発見しない。
　よって、結論のとおり決定する。
【異議決定日】
平成１２年８月２４日（２０００．８．２４）